(57)【要約】【課題】  捌き板の摩擦抵抗を高摩擦抵抗側に簡単に切換えることができるとともに、シート先端部の引掛かりによる給紙ミスやシート先端部の折れ曲りや破れを回避することができる捌き板被覆具を提供する。【解決手段】  給紙台上に積層されたシートを給紙ローラとこの給紙ローラの外周面に対向して揺動台上に配設した捌き板との間を通過させて送出する給紙装置に、着脱自在に装着される捌き板被覆具２０であって、捌き板１０より低摩擦抵抗の薄板材から成り、給紙台のテーブルの後端面部に係脱される下向きの係止片部２３をそなえ、該係止片部の前記テーブルの後端面部への係合状態において先端部が捌き板の後端部上方付近に達する長さの保持具２２と、捌き板１０より高摩擦抵抗の弾性板材から成り、後端部が保持具２２の先端部下面側に固着され、捌き板の上面を被覆する大きさの被覆板２１とを、具備した。【選択図】      図１
2009143673.tif 000002
【特許請求の範囲】
【請求項１】
給紙台上に積層されたシートを、給紙ローラとこの給紙ローラの外周面に対向して揺動台上に配設した捌き板との間を通過させて送出する給紙装置に、着脱自在に装着される捌き板被覆具であって、
前記捌き板より低摩擦抵抗の薄板材から成り、前記給紙台のテーブルの後端面部に係脱される下向きの係止片部をそなえ、該係止片部の前記テーブルの後端面部への係合状態において先端部が前記捌き板の後端部上方付近に達する長さの保持具と、
前記捌き板より高摩擦抵抗の弾性板材から成り、後端部が前記保持具の先端部下面側に固着され、前記捌き板の上面を被覆する大きさの被覆板とを、
具備したことを特徴とする捌き板被覆具。
【請求項２】
前記給紙台のテーブルに設けた切欠に係合して前記保持具の横移動を規制するストッパを、前記保持具に設けたことを特徴とする請求項１記載の捌き板被覆具。
【発明の詳細な説明】
【技術分野】
【０００１】
この発明は、新聞広告丁合装置や紙折機などで用いられる、積重ね状態のシートを１枚ずつ分離して送出する給紙装置に、着脱自在に装着される捌き板被覆具に関する。
【背景技術】
【０００２】
数種類のちらしを一枚ずつ寄せ集めて１セットにし新聞に差込むための新聞広告丁合装置において、供給台上に積重ねたちらしを一枚ずつ送り出す給紙装置としては、給紙台上に積層されたシートを、給紙ローラと該給紙ローラの外周面に対向して配設した重送（二重送り）防止用の捌き板との間を通過させて送出する給紙装置が、広く用いられている。
【０００３】
このような給紙装置においては、給紙対象であるシートの材質や表面の性状によって、円滑な給紙のために必要とされる捌き板の摩擦抵抗力が変動し、たとえばコート紙やカラー印刷紙などのように表面が平滑で相互に付着しやすいシートの場合は、捌き板の摩擦抵抗力が小さいと、複数枚のシートが重なった状態で給紙される重送を生じやすい。そのためこのような場合には、捌き板の摩擦抵抗力を増やす必要がある。そこでこの捌き板を交換可能としたものとして、たとえば特許文献１により提案されている紙捌き部材があるが、これは紙送り方向上流側の滑り面を形成する滑面体を揺動台上に具備する特殊な形式のものに限られるため、この滑面体を具備せず捌き板の上流側でのシートのガイドは給紙台のカバーでおこなうという一般的な構造の給紙装置には適用できないものであるうえ、滑面体，そのガイド機構，スプリング等、部品点数が多く構造が複雑で製作費もかさむという問題点を有するものである。
【特許文献１】実公平５−２５０４号公報
【０００４】
また捌き板を交換せずに捌き力を増強させるようにした捌き力調整具も提案されている（たとえば特許文献２参照）。ところがこの捌き力調整具は、摩擦板（捌き板）よりも摩擦抵抗の大きな摩擦シートで、摩擦板上だけでなく、上テーブルの上流側端部に近い位置から摩擦板の下流側先端部までの広範囲にわたって、上テーブル及び摩擦板の上面を覆うものであるため、この摩擦シート上を下流側に向って移動する紙の先端部が、上テーブルを被覆する摩擦シート部の上面に引掛かりやすく、紙の停止による給紙ミスや、腰の弱い紙の場合に紙の先端が上流側に向って折曲がったりこの折曲りに起因する破れなどを生じるという問題点を有するものであった。
【特許文献２】実用新案登録第３１２６９８６号公報
【発明の開示】
【発明が解決しようとする課題】
【０００５】
この発明は上記従来の問題点を解決しようとするもので、捌き板の摩擦抵抗を高摩擦抵抗側に簡単に切換えることができるとともに、シート先端部の引掛かりによる給紙ミスやシート先端部の折れ曲りや破れを回避することができる捌き板被覆具を提供することを目的とする。
【課題を解決するための手段】
【０００６】
上記目的を達成するために、請求項１記載の捌き板被覆具は、給紙台上に積層されたシートを、給紙ローラとこの給紙ローラの外周面に対向して揺動台上に配設した捌き板との間を通過させて送出する給紙装置に、着脱自在に装着される捌き板被覆具であって、前記捌き板より低摩擦抵抗の薄板材から成り、前記給紙台のテーブルの後端面部に係脱される下向きの係止片部をそなえ、該係止片部の前記テーブルの後端面部への係合状態において先端部が前記捌き板の後端部上方付近に達する長さの保持具と、前記捌き板より高摩擦抵抗の弾性板材から成り、後端部が前記保持具の先端部下面側に固着され、前記捌き板の上面を被覆する大きさの被覆板とを、具備したことを特徴とする。
【０００７】
この発明において「前」側とはシート送り方向の下流側（進行方向側）を称し、「後」側とはシート送り方向の上流側を称するものとする。また「左右」方向とは、上記の前後方向に対して直交する左右方向を称するものとする。
【０００８】
請求項１記載の発明によれば、捌き板被覆具は、保持具の係止片部を給紙台のテーブルの後端面に係合させ、被覆板により捌き板の上面を被覆した状態で、給紙装置に装着され、この装着及び取外しは簡単におこなえる。そしてこの装着状態において、給紙装置の捌き板と給紙ローラとの間隙あるいは圧接力を調節する間隙調節機構により、捌き板被覆具の被覆板を給紙ローラの外周部に圧接させれば、被覆板の先端寄りの部分は捌き板の上面に沿う形で弾性変形し、この状態で給紙ローラの回転駆動等により給紙をおこなえば、捌き板より摩擦抵抗の大きい被覆板により、シートを大きな捌き力で紙捌きでき、表面が平滑で付着しやすいシートの場合でも、重送を生じることなく確実に１枚ずつ給紙できる。また給紙台のテーブル部上から供給される後続のシートは、捌き板より摩擦抵抗の小さい保持具の上面上を進行するので、シート先端部の引掛かりや折曲り，破れ等を生じることがない。
【０００９】
また続いてシートが被覆板上を進行する際には、捌き板被覆具なしの場合に比べて、給紙ローラと捌き板との間に介在する被覆板の厚さに相当する分だけ、捌き板は揺動台と共に下方に回動した位置にセットされており、この回動角度分だけ捌き板、従って被覆板の上面に対するシートの傾斜角が減少しているので、この被覆板上を進行するシート先端部に対する摩擦抵抗力が減少し、被覆板上においてもシートの先端部の引掛かりや折曲りが抑制されるのである。
【００１０】
また請求項２記載の捌き板被覆具は、請求項１記載の捌き板被覆具において、前記給紙台のテーブルに設けた切欠に係合して前記保持具の横移動を規制するストッパを、前記保持具に設けたことを特徴とする。
【００１１】
請求項２記載の発明によれば、ストッパと切欠との係合により捌き板被覆具が大きく横移動するのが防止され、被覆板による捌き板の被覆が確実に維持される。
【発明の効果】
【００１２】
以上説明したようにこの発明の捌き板被覆具によれば、捌き板の摩擦抵抗を高摩擦抵抗側に簡単に切換えることができるとともに、シート先端部の引掛かりによる給紙ミスやシート先端部の折れ曲りや破れを回避することができる。
【００１３】
また上記の効果に加えて、請求項２記載の発明によれば、ストッパと切欠との係合により、捌き板被覆具の横移動が防止され、被覆板による捌き板の被覆が確実に維持されて、捌き板被覆具の横ずれによる給紙ミスが防止される。
【発明を実施するための最良の形態】
【００１４】
以下図１〜図７に示す一例により、この発明の実施の形態を説明する。図１および図２は、後述する図４に示す捌き板被覆具２０を装着した状態の新聞広告丁合装置の給紙装置１を示し、基枠である左右のフレーム（図示しない）間に、水平方向に延びる給紙台２が、上下に間隔をおいて複数段設置され、各給紙台２の先端部付近に給紙ローラ３と補助ローラ４を配設してある。給紙台２は、両端部をフレームに固着された上向きに開口する梁状のテーブル部５と、フレームにピン６により傾動自在に支持された傾斜板部７とから成り、テーブル部５の上面は、後述の捌き板１０が露出する切欠５ｂ部を除いてカバー５ａによって覆われ、給紙対象であるちらし８は傾斜板部７およびカバー５ａ上に積層状態で載せられる。
【００１５】
給紙ローラ３は、外周部に鋸歯状の凹凸を有するゴムタイヤ３ａをローラ本体３ｂの外周部に嵌着してなり、上段側のテーブル部５に垂設固定したブラケット（図示しない）に回転自在に支持されたローラ駆動軸９により、矢印Ｅで示す回転方向に間欠駆動される。また補助ローラ４は、外周部に給紙ローラ３と同様なゴムタイヤをそなえ、ローラ駆動軸９に揺動自在に支持された揺動アーム（図示しない）に軸支され、図示しないタイミングベルトにより給紙ローラ３と連動して回転し、給紙時に最上層のちらし８を摩擦駆動するためのもので、たとえば実公平１−１４５８６号公報記載のものなど、公知の各形式のものを用いる。
【００１６】
給紙ローラ３の下方には、ちらし８の重送（二重送り）防止用のゴム製の捌き板（駒片）１０が設けてある。この捌き板１０は、テーブル部５に固設したブラケット１１により両端部を支持した支軸１２により、給紙ローラ３の中心軸の前側に位置し且つ該中心軸と平行な軸線のまわりに、揺動自在に支持された揺動台１３の上面に、押え金具１４の締付けにより取付けられている。１５は、ちらしの紙質や厚さ、印刷状態などに応じてちらしを確実に供給するために、捌き板１０と給紙ローラ３との間隙あるいは圧接力（捌き圧）Ｐを調節する間隙調節機構で、図３にも示すように揺動台１３の底面部に傾斜台１６をねじ止めし、この下側の傾斜面１６ａに当接するボール１７を保持し左右方向に延びる棒状のホルダー１８を、給紙方向（矢印Ｘ方向）に直交する矢印Ｊ又はＫ方向に進退させて、揺動台１３の傾斜量を調節するものであり、ホルダー１８はたとえば実公昭５５ー３８９２２号公報に記載されているようなつまみ（ダイヤル）の回転操作により進退駆動されるものである。
【００１７】
次に図４は、上記の給紙装置１に着脱自在に装着される捌き板被覆具２０を、該給紙装置１から取外した状態を示す下面側斜視図であり、捌き板１０より高摩擦抵抗の弾性板材から成る被覆板２１の後部に、捌き板１０より低摩擦抵抗の薄板材から成る保持具２２を固着して成る。被覆板２１は、捌き板１０の上面を被覆する大きさを有し、各種材質のゴム板で構成することができ、またその板厚はたとえば２mm以上、好ましくは３mm以上の範囲から選定され、この例では厚さ３mmのウレタンゴム製樹脂板を用いている。なお被覆板２１の上記大きさ（平面形状）は、捌き板１０の上面をほぼ被覆する大きさであればよく、たとえば後述する捌き板被覆具２０装着状態での給紙装置１によるちらし８の給紙時に、捌き板被覆具２０が後述する間隙２７分だけ左右にずれた場合でも、ちらし８が被覆板２１の下側の捌き板１０に接触することがない範囲であれば、被覆板２１の左右幅は捌き板１０の左右幅より小さくてもよい。
【００１８】
また保持具２２は、金属板（この例ではステンレス板）の折曲成形品から成り、図１および図２にも示すようにテーブル部５の後端面部（詳しくはこの例ではカバー５ａの後部下向折曲片部の表面部）に係脱される下向きの係止片部２３をそなえるとともに、この係止片部２３をテーブル部５の後端面部に係合させたとき、その先端部（前端部）が捌き板１０の後端部上方付近に達する長さＬを有する。そしてその前端左右部に突出状に形成した耳片部２４，２４を下向きに折曲げてストッパ２５，２５を形成するとともに、さらにその先端部２６，２６を内側へ折曲げて被覆板２１の下面に圧接し、この先端部２６，２６の圧接力により、被覆板２１を保持具２２の先端部下面側に固着してある。そしてこのストッパ２５，２５は、給紙装置１への装着状態においては、図５に示すようにカバー５ａに設けた切欠５ｂ（図２参照）の前後方向に延びる縁部に少量の間隙２７をおいて対向する外形（左右幅）寸法を有する。
【００１９】
上記構成の捌き板被覆具２０を給紙装置１に装着するには、傾斜板部７およびカバー５ａ上にちらし８が無い状態で、間隙調節機構１５の図示しないつまみの回転操作によりホルダー１８を矢印Ｊ方向に移動させて揺動台１３を先端部が下方に向う方向に回動させ、捌き板１０と給紙ローラ３との間に間隙を形成させて、手で保持具２２部を把持した捌き板被覆具２０の被覆板２１部を、給紙ローラ３の後側から上記間隙部に挿入したのち、保持具２２部を下降させてそのストッパ２５，２５の切欠５ｂ内への挿入、および係止片部２３のテーブル部５の後端面部への係止操作をおこなって、図１および図２に示す装着状態とする。また上記と逆の手順で、捌き板被覆具２０を給紙装置１から迅速容易に取外すことができ、この取外した状態の給紙装置１を、図６に示し、図中、図１と同一部分には同一符号を付してあり、また図中θ０は、捌き板１０を給紙ローラ３の外周に圧接力Ｐで圧接させた状態における捌き板１０の上面に対する、ちらし８の傾斜角度、詳しくは給紙台２の傾斜板部７に沿って積層されたちらし８（の紙面）の傾斜角度を示している。
【００２０】
次に上記の捌き板被覆具２０を給紙装置１へ装着した状態で、傾斜板部７およびカバー５ａ上に積層したちらし８の給紙をおこなうには、間隙調節機構１５の図示しないつまみの前記と反対方向への回動操作によりホルダー１８を矢印Ｋ方向に移動させて、揺動台１３を先端部が上方に向う方向に回動させ、捌き板１０と共に該捌き板１０の上面に積層された捌き板被覆具２０の被覆板２１を、給紙ローラ３の外周部に圧接させる。
【００２１】
この圧接状態では、給紙ローラ３の外周部に対する圧接力Ｐにより、図１に示すように捌き板被覆具２０の被覆板２１の先端寄りの部分が捌き板１０の上面に沿う形で弾性変形し、給紙ローラ３と被覆板２１との圧接点より後側（ちらし流入側）の被覆板２１の上面に対する、給紙台２の傾斜板部７に沿って積層されたちらし８（の紙面）の傾斜角度θ１は、図６に示す捌き板被覆具２０なしの従来の給紙装置１における前記傾斜角度θ０より小となる。これは図６における揺動台１３及びこれと一体の捌き板１０の水平面に対する傾斜位置に対して、図１においては捌き板被覆具２０の被覆板２１の板厚に相当する角度分だけ、揺動台１３（及び捌き板１０）がその先端部が下方へ向う方向にさらに傾斜した状態となるのと、後部を保持具２２に固着された被覆板２１の弾性復元力により捌き板被覆具２０の前後方向中間部が平面状に浮上るためである。この角度差は各部の寸法により異なるものであるが、その一例を挙げると、各部寸法を比例尺で表わした図１及び図６（但し被覆板２１の板厚の実寸＝３mm）において、傾斜角度θ０（被覆板なし）＝２５度、傾斜角度θ１（被覆板有り）＝１６度であった。
【００２２】
そこで上記の捌き板被覆具２０を装着した状態の給紙装置１において、上記の被覆板２１と給紙ローラ３の外周部との圧接状態で、給紙ローラ３を矢印Ｅ方向へ駆動しこれと連動する補助ローラ４と共に通常の給紙操作をおこなうと、給紙ローラ３により摩擦駆動されて被覆板２１との間に進入するちらし８は、捌き板１０よりも摩擦抵抗の大きい被覆板２１により、大きな捌き力で紙捌きされ、コート紙やカラー印刷紙などの表面が平滑で付着しやすいちらし８の場合でも、重送をおこすことなく確実に１枚ずつ給紙できる。また給紙台２のテーブル部５上から供給される後続のちらし８は、先ず捌き板１０より摩擦抵抗の小さい保持具２２の上面上を前進方向に移動するので、ちらし８の先端部が、この保持具２２上に引掛かって停止したり折曲がりやこの折曲がりによる破れなどを生じることなく円滑に、捌き板１０後端部上方付近まで達する保持具２２によりガイドされ、次いで被覆板２１上へと移動する。
【００２３】
この被覆板２１上を傾斜角度θをもって前進方向に移動するちらし８に対しては、図７に示すように、給紙ローラ３によるちらし８層の前進方向への駆動時に、給紙ローラ３による加圧力Ｗとちらし８相互間の摩擦係数とにもとづく各ちらし８の紙面方向に作用する搬送力Ｑに対して、ちらし８の先端部に作用する後向きの摩擦抵抗力Ｆは、搬送力Ｑの垂直成分Ｒ（＝Ｑsinθ）に、ちらし８に対する被覆板２１の摩擦係数μを乗じた値、すなわち次式（１）で示す値となるので、傾斜角度θの減少により、摩擦抵抗力Ｆは減少する。
【００２４】
［数１］
Ｆ＝μＱsinθ  ……（１）
【００２５】
また上記の摩擦抵抗力Ｆに起因してちらし８の先端部が後続のちらし８の先端角部Ｖのまわりに折曲げられる折曲げモーメントＭは、ちらし８の厚さをｔとすると、折曲げ力Ｓ（＝Ｆsinθ）に、ちらし８の先端間距離Ｔ（＝ｔ／tanθ）を乗じた値、すなわち次式（２）で示す値となり、傾斜角度θが４５度以下の場合（通常の給紙装置ではθは４５度以下である）、傾斜角度θの減少により、曲げモーメントＭは減少する。
【００２６】
［数２］
Ｍ＝μＱsinθ・cosθ  ……（２）
【００２７】
従って図１に示す捌き板被覆具２０を装着した状態において被覆板２１上を前進方向に移動するちらし８の先端部に作用する上記摩擦抵抗力Ｆ及び曲げモーメントＭは、捌き板被覆具２０を装着しない図６に示す給紙装置１において捌き力増強の為に捌き板１０自身の摩擦抵抗を被覆板２１と同じ摩擦抵抗とした場合に比べて、傾斜角度θ０→θ１への減少に伴っていずれも減少し、ちらし８の先端部の引掛かりや折曲り及びこの折曲りに起因する破れなどを生じることなく、給紙ローラ３下部へと移動し、円滑に給紙がおこなわれるのである。この傾斜角度θの減少による摩擦抵抗力Ｆ及び曲げモーメントＭの減少例を挙げると、前述のθ０＝２５度からθ１＝１６度への減少の場合、摩擦抵抗力Ｆは３５％、曲げモーメントＭは３１％の減少となる。
【００２８】
上記の給紙中においては、保持具２２の下向きの係止片部２３がテーブル部５の後端面と係合することにより、捌き板被覆具２０は前方へ移動することなく正規の前後位置に保持され、また保持具２２のストッパ２５，２５がカバー５ａの切欠５ｂと係合して、捌き板被覆具２０が大きく横移動するのが防止され、被覆板２１による捌き板１０の被覆が確実に維持される。
【００２９】
次に図８は、この発明の実施の形態の他の例を示し、この捌き板被覆具３０は、前記の例の保持具２２のストッパ２５，２５及び先端部２６，２６を省略した（前記耳片部２４のない）保持具３１を用い、この保持具３１の先端部下面側に接着により被覆板２１の後端部を固着するとともに、この保持具３１の下面部に硬質樹脂製の小角片状のストッパ３２を接着した他は、前記の例の捌き板被覆具２０と同構成を有するものであり、図４と同一部分には同一符号を付して図示し、それらの詳細な説明は省略する。また上記のストッパ３２が嵌脱される切欠として、図２に鎖線で示すように、ストッパ３２が少量の隙間をもって嵌合する角穴状の切欠３５を、テーブル部５のカバー５ａに設けて利用する。なおストッパ３２を小円柱片状として、嵌合する切欠３５を丸穴状としてもよい。
【００３０】
この例の捌き板被覆具３０は、給紙装置１への装着状態において、ストッパ３２と上記切欠３５との係合により捌き板被覆具３０の横移動が防止される他は、すべて前記の例と同様な作用・効果が得られるものである。
【００３１】
この発明は上記各例に限定されるものではなく、たとえば捌き板被覆具２０，３０の各部材質や寸法等、具体的な構成は上記以外のものとしてもよく、また上記の例のストッパ２５，３２を省略したり、これらのストッパの代りに保持具に薄板状の磁石や両面粘着テープなどを取付けて、テーブル部５への固定化をはかるようにしてもよい。
【図面の簡単な説明】
【００３２】
【図１】この発明の実施の形態の一例を示す給紙装置の縦断面図（図２のＡ−Ａ線断面図）である。
【図２】図１の給紙装置の給紙台部分の要部平面図である。
【図３】図１のＢ−Ｂ線断面図である。
【図４】図１における捌き板被覆具の給紙装置から取外した状態での下面側斜視図である。
【図５】図２のＣ−Ｃ線断面図である。
【図６】図１における捌き板被覆具を取外した状態の給紙装置の縦断面図（図１相当図）である。
【図７】図１及び図６の給紙装置における給紙状態を示す模式縦断面図である。
【図８】この発明の実施の形態の他の例を示す捌き板被覆具の下面側斜視図である。
【符号の説明】
【００３３】
１…給紙装置、２…給紙台、３…給紙ローラ、３ａ…ゴムタイヤ、５…テーブル部、５ａ…カバー、５ｂ…切欠、８…ちらし、１０…捌き板、１３…揺動台、１５…間隙調節機構、２０…捌き板被覆具、２１…被覆板、２２…保持具、２３…係止片部、２５…ストッパ、３０…捌き板被覆具、３１…保持具、３２…ストッパ、３５…切欠。
【図１】
2009143673.tif 000003
【図２】
2009143673.tif 000004
【図３】
2009143673.tif 000005
【図４】
2009143673.tif 000006
【図５】
2009143673.tif 000007
【図６】
2009143673.tif 000008
【図７】
2009143673.tif 000009
【図８】
2009143673.tif 000010